(57)【要約】クラシファイド広告を自動的に処理することのできる処理システムおよび方法を開示した。広告のテキストは、ユーザーの携帯電話から、好ましくはＳＭＳメッセージとしてテキストメッセージセンターに送信される。テキストメッセージセンターは、テキストを掲載するために出版媒体、例えば新聞へと転送する。請求情報は、顧客の電話料金に課金するため、電話会社に送信される。【選択図】なし
2008507059.tif 000002
【特許請求の範囲】
【請求項１】
公共の携帯ネットワークにつながる第一のインターフェースを有し、システムの顧客の携帯端末から送信されたクラシファイド広告を受け取ることができるサービスサーバー（１）、
このサービスサーバー（１）は、出版媒体に属する第二のサーバーとの情報伝達のための第二のインターフェースを有し、該広告を出版媒体上に掲載するためにクラシファイド広告を第二のサーバーに送信することができ、そして
前記サービスサーバー（１）は課金サービスとの情報伝達のための第三のインターフェースを有する、
を含むことを特徴とするクラシファイド広告の仲介システム。
【請求項２】
前記サービスサーバー（１）が、携帯端末からＳＭＳまたはＭＭＳメッセージとしてクラシファイド広告を受け取ることができるものである、請求項１に記載のシステム。
【請求項３】
前記第一のインターフェースが、ＷＡＰインターフェースであり、前記サービスサーバー（１）がＷＡＰページで入力されたテキストとしてクラシファイド広告を受け取ることができるものである、請求項１に記載のシステム。
【請求項４】
支払いサービスが電話会社により処理され、サービスサーバー（１）がクラシファイド広告の料金を顧客の電話料金に課金するために請求情報を前記電話会社に送信することができるものである、請求項１に記載のシステム。
【請求項５】
支払いサービスがクレジットカード会社またはペイメントカード会社により処理され、サービスサーバーがクラシファイド広告の料金を顧客の口座から引き落とすために請求情報を前記クレジットカード会社またはペイメントカード会社に送信することができるものである、請求項１に記載のシステム。
【請求項６】
サービスサーバーが、顧客の支払い情報を獲得するために顧客の携帯端末にメッセージを送信することができるものである、請求項１に記載のシステム。
【請求項７】
サービスサーバーがテキストメッセージセンターに包含されるものである、請求項１に記載のシステム。
【請求項８】
クラシファイド広告のテキストを含むメッセージをサービスサーバーに属する顧客のモバイル端末から送信するステップと、
サービスサーバーから、媒体に出版するための出版媒体に属するサーバーに送信するステップと、
請求情報をサービスサーバーから支払いサービスに送信するステップとを特徴とする、クラシファイド広告を仲介する方法。
【請求項９】
支払いサービスが電話会社により処理され、電話会社はクラシファイド広告の料金を顧客の電話料金に直接課金する、請求項８に記載の方法。
【請求項１０】
支払いサービスがクレジットカード会社またはペイメントカード会社により処理され、前記会社はクラシファイド広告の料金を顧客の口座から直接引き落とす、請求項８に記載の方法。
【発明の詳細な説明】
【技術分野】
【０００１】
本発明は、新聞および雑誌へクラシファイド広告（ｃｌａｓｓｉｆｉｅｄ  ａｄｖｅｒｔｉｓｅｍｅｎｔｓ）を仲介するシステムおよび方法に関する。
【背景技術】
【０００２】
クラシファイド広告は、近年に至っても主として新聞社の店頭におけるまたは郵便によるテキストの直接の交付により受け付けられる。広告の受付手段としてよく使われる他の代替手段は電話である。このタイプの処理方法は、広告が掲載されるまでに多数の人間を必要とする；編集およびテキストを機械が読めるフォームで書くことの双方、請求書の記入、これを課金システムで処理し、料金が支払われたかどうかチェックする、などである。
【０００３】
より現代的な代替方法としては、広告をインターネット経由で受け付けることである。この方法は、新聞社のウェブページでフォームに入力するか、新聞社の編集室にＥメールを送信することによる。これらの方法も、プロセスを完遂するのに多くの手作業を要するという欠点がある。顧客がインターネットを使用するとき、記入および編集の作業それ自体は不要ではあるが、更に広告料金の記録および徴収という幾つかの処理を要する。
【発明の開示】
【発明が解決しようとする課題】
【０００４】
本発明の目的は、受け手側、例えば雑誌社または新聞社において必要な手作業がより少なく、より自動化され、単純化された処理を可能にする、クラシファイド広告を処理するシステムおよび方法を提供することにある。
【課題を解決するための手段】
【０００５】
上記目的は、添付した特許請求の範囲に記載したシステムおよび方法により達成される。簡単にいうと、本発明は、広告用テキストを顧客の携帯電話から、好ましくはＳＭＳメッセージとして新聞社に送信し、顧客は電話料金に課金されることを要件とする。
本発明につき、本発明を実行するためのシステムを示した添付図面を参照しつつ以下に詳細に説明する。
【発明を実施するための最良の形態】
【０００６】
図は、本発明を実行するためのシステムを示した該略図である。システムの中核は、サービスプロバイダーまたは電話会社により運営されるサービスサーバー１として存在するテキストメッセージセンターである。以下においては、テキストメッセージセンターは電話会社との契約によりサービスプロバイダーが運営していると仮定する。サービスサーバー１は、携帯電話ネットワークにつながる顧客用インターフェース２を有する。顧客は、彼／彼女の携帯電話３からこのインターフェースを通じてサーバー１にアクセスし、クラシファイド広告を申し込む。これに加えて、サーバー１はインターネット用インターフェース４を有し、これにより広告のテキストを、サーバー５、６および７で表される異なる新聞社に送信する。最後に、サーバー１は電話会社に通じるインターフェース８を有する。
【０００７】
本システムは、顧客がサーバー１に申し込むのに使用される。申し込みは、ＷＡＰページ上で入力するか、あるいはＭＭＳまたはＳＭＳメッセージの送信によりサーバーに送られる。最近では、後者の方法によることが好ましく、この方法について以下に説明する。顧客がクラシファイド広告を出そうとするとき、顧客はＳＭＳをサービスプロバイダー、すなわちサーバー１へ送信する。ＳＭＳメッセージは、本用途のための専用番号に送信されてもよい。サービスプロバイダーは、数社の新聞社にサービスを提供しており、例えば各新聞社ごとに異なるＳＭＳ番号を使用してもよい。新聞社は本用途に専用番号の設定を望まないことも可能である。この場合、ＳＭＳメッセージを例えばＡＮといったレターコードから始めることとしてもよい。サーバー１は、メッセージを解析するアプリケーションを持っている。サーバーがクラシファイド広告を検出すると、テキストそれ自体は新聞社のサーバーに送信され、請求情報が電話会社の課金システムに送信される。そして、顧客の電話料金に料金が自動的に加算される。
【０００８】
これに代わって、委任により顧客の銀行口座から引き落としてもよい。しかし、この方法によると各顧客に関する顧客情報を構築することを要し、この口座情報はサーバー１に記憶されることとなる。かかるシステムは、クレジットカードまたはペイメントカードへの課金にも使用できる。電話料金への課金が不可能である場合または顧客に属する口座から引き落とすための権限が登録されていない場合には、サーバー１は別のＳＭＳによりクレジット／ペイメントカード情報を求めるようにすることもできる。
【０００９】
上記の解決方法は、携帯端末に何らの格別のアプリケーションをインストールする必要はないが、メッセージが正確にフォーマット化されていることを要する。例えば上記したような特定文字の結合に一致する前文を含む場合である。
【００１０】
本発明は、あらゆる出版媒体、すなわち紙媒体に加えて現代的な形態の電子出版にも適用可能であることを強調する。
【図面の簡単な説明】
【００１１】
【図１】本発明を実行するためのシステムを示した該略図である。
【図１】
2008507059.tif 000003
【国際調査報告】
2008507059.tif 000004
2008507059.tif 000005